(57)【要約】【課題】電子発光光源を用いた灯火に対して簡単な回路構成で輝度調整の高精度化を図るとともに、装置稼働後の負荷の変更に柔軟に対応できる電子発光光源用定電流発生装置を提供する。【解決手段】商用交流単相電源１１０とコンデンサバンクと出力変成器１３０の一次側巻線１３０Ｐとが直列に接続されているとともに出力変成器１３０の二次側巻線１３０Ｓに電子発光光源１４０Ｂを内装した複数の灯火１４０が直列に接続されており、コンデンサバンクが並列に接続された複数のコンデンサＣ１〜Ｃ６とこれらのコンデンサの両端子に接続された開閉器Ｓ１〜Ｓ６とからなり、開閉器の開閉操作によりコンデンサバンクを構成するコンデンサの数を変えて出力変成器１３０の二次側巻線１３０Ｓに発生した交流定電流の振幅を線形に変化させることによって、上記の課題を解決するものである。【選択図】図１
2010129522.tif 000002
【特許請求の範囲】
【請求項１】
商用交流単相電源とコンデンサバンクと出力変成器の一次側巻線とが直列に接続されているとともに前記出力変成器の二次側巻線に電子発光光源を内装した複数の灯火が直列に接続されている電子発光光源用定電流発生器であって、
前記コンデンサバンクが並列に接続された複数のコンデンサと該コンデンサの両端子に接続された開閉器とからなり、
前記開閉器の開閉操作によりコンデンサバンクを構成するコンデンサの数を変えて出力変成器の二次側巻線に発生した交流定電流の振幅を線形に変化させることを特徴とする電子発光光源用定電流発生器。
【請求項２】
前記出力変成器の二次側巻線に発生した交流定電流の振幅を微調整する複数の出力側切替タップが、前記出力変成器の二次側巻線に設けられていることを特徴とする請求項１記載の電子発光光源用定電流発生器。
【請求項３】
前記電子発光光源が、ＬＥＤであることを特徴とする請求項１または請求項２記載の電子発光光源用定電流発生器。
【発明の詳細な説明】
【技術分野】
【０００１】
本発明は、ＬＥＤ（Ｌｉｇｈｔ  Ｅｍｉｔｔｉｎｇ  Ｄｉｏｄｅ：発光ダイオード）やＨＩＤランプ（Ｈｉｇｈ  Ｉｎｔｅｎｓｉｔｙ  Ｄｉｓｃｈａｒｇｅｄ  Ｌａｍｐ：高輝度放電灯）などの電子発光光源の電源として用いられる定電流発生器に関し、特に詳しくは、飛行場灯火のように配線距離が長く広範囲に配設された多数の灯火からなる照明設備を点灯するための定電流発生器に関するものである。
【背景技術】
【０００２】
一般に、飛行場では、天候不順による視界不良時であっても、航空機を安全に運行させるために、各種飛行場灯火が配設されている。これらの飛行場灯火としては、着陸機に対して、最終進入経路を示す進入灯、滑走路の輪郭を示す滑走路灯、誘導路及びエプロン（飛行機を停めておくエリア）の縁を示す誘導路灯などが挙げられる。
【０００３】
このような飛行場や、高速道路、トンネル、公園などの公共施設では、広範囲にわたってタングステンランプやハロゲンランプなどの熱発光光源を内装した多数の灯火が配設されるため、これらの多数の灯火に対して電力を供給するためには、非常に長い距離の配線が必要となる。そのため、この配線による電力損失を考慮して各灯火の光度を均一に保つ必要があるとともに、何れかの灯火に不点灯が発生しても他の灯火を安定して点灯させる灯火システムが必要である。
【０００４】
さらに、前述した灯火システムでは、昼間であるか夜間であるかや、気象状況に応じて灯火の視認性が変化するため、これらの状況の変化に応じて灯火の輝度を調整する必要がある。例えば、周辺照度が高い、すなわち周りが明るい昼間では灯火の視認性が低下するため、灯火の輝度を高くする必要がある。一方、周辺照度が低い、すなわち周りが暗い夜間では灯火の視認性が良好であるため、灯火の輝度を低くすることによって消費電力を削減することができる。
【０００５】
このような用途に適した電源装置として、本発明者は、図４に示したような定電流光度調整装置２００を開発した。この定電流光度調整装置２００は、定電圧交流電源２１０と、この定電圧交流電源２１０に直列に接続され、定電圧交流電源２１０の出力と所定の共振条件を満たす時定数を有し、負荷変動に無関係な一定な正弦波交流電流Ｉを出力する共振回路２２０と、一次側巻線２３０Ｐが共振回路２２０の出力に直列接続された出力変成器２３０とを有している。
【０００６】
さらに、比較的長い距離の配線２８０を介して出力変成器２３０の二次側巻線２３０Ｓにそれぞれ直列接続された複数の灯火２４０と、任意の期間だけ一次側巻線２３０Ｐに流れる正弦波交流を短絡する分流回路２５０と、電流検出器２７０により検出された出力変成器２３０の二次側電流すなわち負荷電流ＩＬに基づいて、共振回路２２０から出力される正弦波交流電流Ｉの１サイクルを単位として分流回路２５０を短絡制御（サイクル制御）することにより、負荷電流ＩＬの大きさを調整するサイクル制御回路２６０とを有している。
【０００７】
このような定電流光度調整装置２００は、定電圧交流電源２１０に対して共振回路２２０が直列接続されており、所定の共振条件を満たすように、コンデンサ２２０Ａとリアクトル２２０Ｂとから決定される時定数と、交流電源出力の周波数、電圧、電流とを選択することにより、負荷の変動に無関係な一定の電流Ｉが得られる。この電流Ｉは、出力変成器２３０の一次側巻線２３０Ｐに供給され昇圧され、出力変成器２３０の二次側巻線２３０Ｓに直列接続されたそれぞれの灯火２４０に一定の負荷電流ＩＬとして等しく供給される。
【０００８】
これにより、出力変成器２３０から各灯火２４０への配線２８０が非常に長い場合であっても、各灯火２４０の熱発光光源２４０Ｂには、絶縁トランス２４０Ａを介して等しい電流が供給されるものとなり、各熱発光光源２４０Ｂを均一な光度で点灯させることができる。なお、任意の熱発光光源２４０Ｂが不点灯となっても絶縁トランス２４０Ａにより負荷側の直列回路が断線されることがないので、他の熱発光光源２４０Ｂへの影響は生じない。また、分流回路２５０は、互いに極性が逆方向となるように並列接続されたサイリスタ２５０Ａ、２５０Ｂから構成されており、短絡動作時には、正弦波交流がプラス側の期間にはサイリスタ２５０Ａがオンとなり、マイナス側の期間にサイリスタ２５０Ｂがオンとなる。
【０００９】
図５は、図４に示した従来の定電流光度調整装置２００の各部の信号を示す信号波形図で有り、ここでは、共振回路２２０から出力される電流Ｉの正弦波８周期分（周期Ｔ１）のうち１周期分（周期Ｔ２）を短絡する場合が例として示されている。サイクル制御回路２６０は、電流検出器２７０を介して検出された負荷電流ＩＬに基づいて、所望の負荷電流ＩＬを得るための波数比Ｒ＝Ｔ２／Ｔ１を算出する。例えば、波数比Ｒ＝１／８の場合には、図５に示すように、電流Ｉの正弦波８周期分（周期Ｔ１）分のうち１周期分（周期Ｔ２）分を短絡するように分流回路２５０を制御する。その結果、灯火２４０に供給される電流は、７／８に減少する。そして、波数比Ｒを変えることにより灯火２４０に供給される電流を可変することができる（特許文献１参照）。
【００１０】
また、前述の用途に適した別の電源装置として、本発明者は、図６に示したような定電流発生装置３００を開発した。この定電流発生装置３００は、商用交流単相電源３１０と定電流供給用コンデンサ３２０と出力変成器３３０の一次側巻線３３０Ｐとが直列に接続されているとともに出力変成器３３０の二次側巻線３３０Ｓに電子発光光源３４０Ｂを内装した複数の灯火３４０が直列に接続されており、出力変成器３３０の二次側巻線３３０Ｓに発生した交流定電流の振幅を線形に変化させる複数の入力側切替タップ３３０Ａが、出力変成器３３０の一次側巻線３３０Ｐに設けられている。
【００１１】
このような定電流発生装置３００は、出力電圧がＶ（ボルト）である商用交流単相電源３１０と静電容量Ｃ（ファラッド）のコンデンサ３２０と出力変成器３３０の一次側巻線３３０Ｐとが直列に接続されているとともに出力変成器３３０の二次側巻線３３０Ｓに電子発光光源３４０Ｂを内装した複数の灯火が直列に接続されているというきわめて簡単な構成によって、静電容量Ｃは固定であるため、出力変成器３３０の一次側巻線３３０Ｐには、静電容量Ｃ（ファラッド）に対応した定電流Ｉ１が流れるので、出力変成器３３０の二次側巻線に直列接続された負荷（点灯する電子発光光源の数や配線の長さになどによって決まる）が増減した場合であっても電源電圧に影響が波及せず、出力変成器の二次側へ常に安定した定電流供給が実現できる。
【００１２】
さらに、定電流発生器３００は、出力変成器３３０の二次側巻線３３０Ｓに発生した交流定電流の振幅を線形に変化させる複数の入力側切替タップ３３０Ａが、出力変成器３３０の一次側巻線３３０Ｐに設けられていることにより、一次側巻線３３０Ｐに流れる定電流Ｉ１と選択された入力側切替タップ３３０Ａまでの巻数Ｔ１の積Ｉ１・Ｔ１（アンペアターン）と、二次側巻線３３０Ｓに発生する交流定電流Ｉ２と二次側巻線の巻数Ｔ２の積Ｉ２・Ｔ２（アンペアターン）とが等しい、すなわちＩ１・Ｔ１＝Ｉ２・Ｔ２の関係が成立し、Ｉ１が前述したように一定で、Ｔ２を固定とした場合、各入力側切替タップ３３０Ａまでの巻数Ｔ１に比例した交流定電流Ｉ２が出力変成器３３０の二次側巻線３３０Ｓに発生するので、電子発光光源に通電される負荷電流を１００％通電から、例えば、０．２％という微少な通電まで入力側切替タップ３３０Ａの切替によって精度良く調整することができる（特許文献２参照）。
【特許文献１】特許第３３６４４０７号公報
【特許文献２】特許第４０４５３０６号公報
【発明の開示】
【発明が解決しようとする課題】
【００１３】
ところが、前述した従来の定電流光度調整装置２００では、出力変成器２３０の一次側に流れる電流Ｉａを所定の波数比Ｒで短絡させることにより、負荷電流ＩＬの調整を行っているため、例えば、定電圧交流電源２１０の周波数が５０Ｈｚであるとした場合、負荷電流ＩＬの刻み幅は、２％となり、それ以下の電流調整は不可能であるという問題があった。また、負荷電流ＩＬを低減させるためには、所定の波数比Ｒで負荷電流ＩＬを短絡させているため、負荷電流ＩＬを低減させていくにつれて灯器２４０がちらつくという問題があった。しかも、従来の定電流光度調整装置２００では、図４に示したように、共振回路２２０、分流回路２５０、サイクル制御回路２６０などが必要であり、回路構成が複雑となるという問題があった。
【００１４】
一方、前述した従来の定電流発生器３００では、回路構成は簡単になるものの、出力電流が出力変成器３３０に予め設けられた入力側切換タップ３３０Ａで決定されるため、最初に想定していた出力定電流を装置の稼働後に変更するためには、出力変成器３３０を巻き直して、入出力側切換タップ３３０Ａの位置を変更したり増設したりする必要があり、負荷の変更に柔軟に対応することが困難であった。
【００１５】
さらに、灯火のグローブ（光源を覆っている部材）に埃が付着し次第に輝度が低下するため、灯火の寿命がまだ尽きていないのに、グローブを磨いたり、光源を交換したりしなくてはならないという保守メンテナンス上の問題があった。
【００１６】
また、地球温暖化が深刻な社会問題となっている昨今、省エネルギー化によりＣＯ２排出量削減に寄与する電子発光光源を用いた灯火システムの開発に高い関心が集まっている。
【００１７】
そこで、本発明の目的は、ＬＥＤやＨＩＤランプなどのいわゆる電子発光光源を用いた灯火に対して簡単な回路構成で輝度調整の高精度化を図るとともに、装置稼働後の負荷の変更に柔軟に対応でき、しかも、灯火の保守メンテナンス負担を軽減することができる電子発光光源用定電流発生装置を提供することを目的とする。
【課題を解決するための手段】
【００１８】
まず、本請求項１に係る発明は、商用交流単相電源とコンデンサバンクと出力変成器の一次側巻線とが直列に接続されているとともに前記出力変成器の二次側巻線に電子発光光源を内装した複数の灯火が直列に接続されている電子発光光源用定電流発生器であって、前記コンデンサバンクが並列に接続された複数のコンデンサと該コンデンサの両端子に接続された開閉器とからなり、前記開閉器の開閉操作によりコンデンサバンクを構成するコンデンサの数を変えて出力変成器の二次側巻線に発生した交流定電流の振幅を線形に変化させることにより、前記課題を解決したものである。
【００１９】
なお、本発明において、電子発光光源とは、ＬＥＤやＨＩＤランプなどのフィラメントを有しておらず、負荷電流に対する光源の輝度が一次曲線に沿った電流−輝度特性である光源を総称している。
【００２０】
また、本請求項２に係る発明は、請求項１に係る電子発光光源用定電流発生器において、前記出力変成器の二次側巻線に発生した交流定電流の振幅を微調整する複数の出力側切替タップが、前記出力変成器の二次側巻線に設けられていることにより、前記課題をさらに解決したものである。
【００２１】
そして、本請求項３に係る発明は、請求項１または請求項２に係る電子発光光源用定電流発生器において、前記電子発光光源が、ＬＥＤであることにより、前記課題をさらに解決したものである。
【発明の効果】
【００２２】
本発明の電子発光光源用定電流発生器は、商用交流単相電源とコンデンサバンクと出力変成器の一次側巻線とが直列に接続されているとともに出力変成器の二次側巻線に電子発光光源を内装した複数の灯火が直列に接続されており、コンデンサバンクが並列に接続された複数のコンデンサとそれらのコンデンサの両端子に接続された開閉器とからなり、開閉器の開閉操作によりコンデンサバンクを構成するコンデンサの数を変えることにより、商用交流単相電源の電圧と周波数が一定であるため、出力変成器の一次側には、コンデンサバンクの静電容量に比例した定電流が流れるので、コンデンサバンクを構成するコンデンサの数を変えてコンデンサバンクの静電容量を線形に変化させることにより、出力変成器の二次側巻線に発生した交流定電流の振幅を線形に変化させることができ、ＬＥＤやＨＩＤランプなどのいわゆる電子発光光源を用いた灯火に対して簡単な回路構成で輝度調整の高精度化が実現できる。
【００２３】
また、コンデンサバンクを構成するコンデンサの数や個々のコンデンサの容量を変更することにより、出力変成器の一次側に流れる定電流の大きさを任意に調整することができるので、装置稼動後の負荷の変更に対しても出力変成器の巻き直しなどを要することなく柔軟に対応することができる。
【００２４】
しかも、この輝度調整は出力変成器の二次側巻線に発生する正弦波である交流定電流の振幅の大きさを変化させることによって達成されるため、負荷電流を低減させていった場合であっても灯火がちらつくことなく、良好な視認性を発揮させることができる。
【００２５】
また、本請求項２に係る電子発光光源用定電流発生器は、請求項１に係る電子発光光源用定電流発生器が奏する効果に加えて、出力変成器の二次側巻線に発生した交流定電流の振幅を微調整する複数の出力側切替タップが、出力変成器の二次側巻線に設けられていることにより、灯火のグローブに埃が付着し輝度が低下した場合であっても出力側切替タップの切替によって灯火に流れる負荷電流を増加させて輝度の低下を補償することができるので、熱発光光源に比べて長寿命である電子発光光源を運用途中で特別な保守を繰り返すことなく、電子発光光源の寿命が尽きるまで安全要求輝度１００％を維持することができる。
【００２６】
そして、本請求項３に係る電子発光光源用定電流発生器は、請求項１または請求項２に係る電子発光光源用定電流発生器が奏する効果に加えて、電子発光光源がＬＥＤであることにより、ＬＥＤは半導体を用いたｐｎ接合と呼ばれる固体構造で作られており、この構造の中で電子の持つエネルギーを直接、光エネルギーに変換することで発光し、巨視的には熱や運動の介在を必要としないので、優れた耐久性や耐衝撃性、長寿命化、高効率化を実現できる。
しかも、ハロゲンランプのような熱発光光源においては、過電流によってフィラメントが溶断することを防ぐために過電流継電器を設置する必要があったが、ＬＥＤは、多少の過電流が流れたとしても素子が溶断することがなく過電流継電器を設置する必要がないので、装置構成の簡略化を図ることができる。
【発明を実施するための最良の形態】
【００２７】
本発明の電子発光光源用定電流発生器は、商用交流単相電源とコンデンサバンクと出力変成器の一次側巻線とが直列に接続されているとともに出力変成器の二次側巻線に電子発光光源を内装した複数の灯火が直列に接続されており、コンデンサバンクが並列に接続された複数のコンデンサとそれらのコンデンサの両端子に接続された開閉器とからなり、開閉器の開閉操作によりコンデンサバンクを構成するコンデンサの数を変えて出力変成器の二次側巻線に発生した交流定電流の振幅を線形に変化させることにより、ＬＥＤやＨＩＤランプなどのいわゆる電子発光光源を用いた灯火に対して簡単な回路構成で輝度調整の高精度化を実現するとともに、装置稼働後の負荷の変更に対する柔軟な対応を可能とし、しかも、灯火の保守メンテナンス負担の軽減を実現するものであれば、その具体的な実施の態様は、如何なるものであっても何ら構わない。
【００２８】
本発明の一実施例を図１乃至図３に基づいて説明する。
ここで、図１は、本発明の実施例である電子発光光源用定電流発生器１００の回路図であり、図２は、電子発光光源用定電流発生器１００のコンデンサバンクの静電容量と出力変成器の二次側巻線を流れる電流Ｉ２と電子発光光源の輝度との関係を示した表であり、図３は、図２の表をグラフにしたものである。
【００２９】
本発明の実施例である電子発光光源用定電流発生器１００は、図１に示すように、商用交流単相電源１１０と６つのコンデンサＣ１、Ｃ２、Ｃ３、Ｃ４、Ｃ５、Ｃ６が並列に接続されたコンデンサバンクと出力変成器１３０の一次側巻線１３０Ｐとが直列に接続されているとともに出力変成器１３０の二次側巻線１３０Ｓに電子発光光源１４０Ｂを内装した複数の灯火１４０が直列に接続されている。本実施例に於いては、電子発光光源１４０ＢとしてＬＥＤを用いている。
【００３０】
また、コンデンサＣ１、Ｃ２、Ｃ３、Ｃ４、Ｃ５、Ｃ６の両端子には、それぞれ、開閉器Ｓ１、Ｓ２、Ｓ３、Ｓ４、Ｓ５、Ｓ６が接続されている。本実施例においては、商用交流単相電源１１０の電圧が２１０Ｖ、周波数が５０Ｈｚであり、全負荷容量が５ＫＶＡ（定格電流６．６Ａ）であるとき、各コンデンサの静電容量として、Ｃ１を３６０μＦ、Ｃ２を９０μＦ、Ｃ３を３６μＦ、Ｃ４を１８μＦ、Ｃ５を３．６μＦ、Ｃ６を１．８μＦに設定している。すなわち、出力変成器１３０の二次側に全負荷容量５ＫＶＡ（定格電流６．６Ａ）を出力するためには、出力変成器１３０での損失が無視できるほど小さいと仮定すると、出力変成器１３０の一次側巻線１３０Ｐに流れる電流は、５０００ＶＡ÷２１０Ｖ＝２３．８１Ａとなる。この時、この定電流を発生するコンデンサの容量リアクタンスＸｃは、２１０Ｖ÷２３．８１Ａ＝８．８２３Ωとなり、コンデンサの静電容量Ｃは、Ｃ＝１／（２πｆＸｃ）＝１／（２π×５０×８．８２３）＝３６０μＦとなる。よって、開閉器Ｓ１のみをＯＮにしてコンデンサバンクを構成するコンデンサとしてＣ１を選択することにより、出力変成器１３０の二次側巻線１３０Ｓを流れる定電流Ｉ２が、負荷である電子発光光源１４０Ｂの輝度を１００％（全負荷容量）とするのに相当する電流値である６．６Ａとなる。
【００３１】
次に、出力変成器１３０の二次側巻線を流れる定電流Ｉ２を、負荷である電子発光光源１４０Ｂの輝度を３０％とするのに相当する電流値である６．６×０．３＝１．９８Ａとするためには、コンデンサバンクの静電容量をＣ１（＝３６０μＦ）の３０％である１０８μＦとする必要がある。したがって、開閉器Ｓ２及びＳ４をＯＮにしてコンデンサバンクを構成するコンデンサとしてＣ１の３０％であるＣ２＋Ｃ４を選択することにより、出力変成器１３０の二次側巻線１３０Ｓを流れる定電流Ｉ２を、負荷である電子発光光源１４０Ｂの輝度を３０％とするのに相当する電流値である１．９８Ａとすることができる。
【００３２】
同様に、開閉器Ｓ２のみをＯＮにしてコンデンサバンクを構成するコンデンサとしてＣ１の２５％であるＣ２を選択することにより、出力変成器１３０の二次側巻線１３０Ｓを流れる定電流Ｉ２が、負荷である電子発光光源１４０Ｂの輝度を２５％とするのに相当する電流値である１．６５Ａとなる。
【００３３】
同様に、開閉器Ｓ３のみをＯＮにしてコンデンサバンクを構成するコンデンサとしてＣ１の１０％であるＣ３を選択することにより、出力変成器１３０の二次側巻線１３０Ｓを流れる定電流Ｉ２が、負荷である電子発光光源１４０Ｂの輝度を１０％とするのに相当する電流値である０．６６Ａとなる。
【００３４】
同様に、開閉器Ｓ４のみをＯＮにしてコンデンサバンクを構成するコンデンサとしてＣ１の５％であるＣ４を選択することにより、出力変成器１３０の二次側巻線１３０Ｓを流れる定電流Ｉ２が、負荷である電子発光光源１４０Ｂの輝度を５％とするのに相当する電流値である０．３３Ａとなる。
【００３５】
同様に、開閉器Ｓ５のみをＯＮにしてコンデンサバンクを構成するコンデンサとしてＣ１の１％であるＣ５を選択することにより、出力変成器１３０の二次側巻線１３０Ｓを流れる定電流Ｉ２が、負荷である電子発光光源１４０Ｂの輝度を１％とするのに相当する電流値である０．０６６Ａとなる。
【００３６】
同様に、開閉器Ｓ６のみをＯＮにしてコンデンサバンクを構成するコンデンサとしてＣ１の０．２％であるＣ６を選択することにより、出力変成器１３０の二次側巻線１３０Ｓを流れる定電流Ｉ２が、負荷である電子発光光源１４０Ｂの輝度を０．２％とするのに相当する電流値である０．０３３Ａとなる。
【００３７】
本実施例においては、電子発光光源１４０Ｂの輝度を７段階に調整する場合について説明したが、コンデンサバンクを構成するコンデンサの組み合わせを変えることにより、さらに多段階に電子発光光源１４０Ｂの輝度を調整することが可能である。
【００３８】
一方、直列に接続された複数の灯火１４０に内装された電子発光光源１４０Ｂの任意の一つが不点灯になっても他の電子発光光源１４０Ｂが影響を受けないようにするため、各灯火１４０には、絶縁トランス１４０Ａを備えているとともに、電子発光光源１４０Ｂに加わる逆方向電流を遮断するためのダイオード１４０Ｃが電子発光光源１４０Ｂと直列に接続されている。なお、ダイオード１４０Ｃを用いて電子発光光源１４０Ｂに加わる逆方向電流を遮断することに替えて２つの電子発光光源１４０Ｂを互いに極性が逆方向となるように並列接続したものを絶縁トランス１４０Ａの二次側に接続しても良い。この場合、正弦波交流電流の正方向通電時及び逆方向通電時に２つの電子発光光源１４０Ｂが交互に点灯し、エネルギー効率が向上するとともに、灯火１４０のちらつきが一層低減する。
【００３９】
また、本実施例の電子発光光源用定電流発生器１００は、出力変成器１３０の二次側巻線１３０Ｓに、例えば、全巻数に対して１％、３％、５％という細かい間隔で巻数を減少させる複数の出力側切替タップ１３０Ａが設けられている。ここで、出力変成器１３０の一次側巻線１３０Ｐを流れる定電流Ｉ１と一次側巻線１３０Ｐの巻数Ｔ１との積Ｉ１・Ｔ１（アンペアターン）と、二次側巻線１３０Ｓに発生する定電流Ｉ２と二次側巻線１３０Ｓの巻数Ｔ２との積Ｉ２・Ｔ２（アンペアターン）とが等しい、すなわち、Ｉ１・Ｔ１＝Ｉ２・Ｔ２の関係が成立し、Ｉ１が前述したようにコンデンサバンクの静電容量によって決まる定電流であって、Ｔ１が固定であるので、出力側切替スイッチ１３０Ｂによって、所望の出力側切替タップ１３０Ａを選択することにより、二次側巻線１３０Ｓの巻数Ｔ２を若干減少させると、負荷に供給される定電流Ｉ２の振幅を微増（数％の上昇）させることができる。これにより、灯火１４０のグローブに埃が付着して輝度が低下した際に初期の輝度を維持するように微調整することができる。
【産業上の利用可能性】
【００４０】
本発明は、コンデンサに定電圧を印加すると定電流が発生するという原理を用いて定電流発生器を構成するという新規な着想に基づき本発明者によって既に完成された定電流発生器について、さらに鋭意研究を重ねた結果、コンデンサの容量を変更することによって出力変成器のタップ切換なしに出力電流の大きさを変更することが可能になるというさらなる新規な着想を得て完成されたものであって、飛行場の灯火システムのみならず、高速道路、トンネル、競技場、公園などの公共施設の照明システムの輝度調整の高精度化、エネルギー効率の高効率化、保守メンテナンス負担の軽減を実現でき、その産業上の利用可能性はきわめて高い。
【図面の簡単な説明】
【００４１】
【図１】本実施例の電子発光光源用定電流発生器１００の回路図。
【図２】電子発光光源用定電流発生器１００のコンデンサバンクの静電容量と出力変成器の二次側巻線を流れる電流と電子発光光源の輝度との関係を示した表。
【図３】図２に示した表に基づいたグラフ。
【図４】従来の熱発光光源用の定電流光度調整装置２００の回路図。
【図５】図４に示した従来の定電流光度調整装置２００の各部における信号波形図。
【図６】従来の定電流発生装置３００の回路図。
【符号の説明】
【００４２】
１００、３００  ・・・  電子発光光源用定電流発生器
２００  ・・・  定電流光度調整装置
１１０、２１０、３１０  ・・・  定電圧交流電源
１２０、３２０  ・・・  コンデンサ
２２０  ・・・  共振回路
２２０Ａ  ・・・  （共振回路の）コンデンサ
２２０Ｂ  ・・・  （共振回路の）リアクトル
１３０、２３０、３３０  ・・・  出力変成器
１３０Ａ、３３０Ａ  ・・・  （出力変成器の）入力側切替タップ
１３０Ｂ、３３０Ｂ  ・・・  （出力変成器の）入力側切替スイッチ
１３０Ｃ  ・・・  （出力変成器の）出力側切替タップ
１３０Ｄ  ・・・  （出力変成器の）出力側切替スイッチ
１３０Ｐ、２３０Ｐ、３３０Ｐ  ・・・  （出力変成器の）一次側巻線
１３０Ｓ、２３０Ｓ、３３０Ｓ  ・・・  （出力変成器の）二次側巻線
１４０、２４０、３４０  ・・・  灯火
１４０Ａ、２４０Ａ、３４０Ａ  ・・・  （灯火の）絶縁トランス
１４０Ｂ、３４０Ｂ  ・・・  （灯火の）電子発光光源
２４０Ｂ  ・・・  （灯火の）熱発光光源
１４０Ｃ、３４０Ｃ  ・・・  （灯火の）ダイオード
２５０  ・・・  分流回路
２５０Ａ、２５０Ｂ  ・・・  （分流回路の）サイリスタ
２６０  ・・・  サイクル制御回路
２７０  ・・・  電流検出器
２８０  ・・・  配線  
【図１】
2010129522.tif 000003
【図２】
2010129522.tif 000004
【図３】
2010129522.tif 000005
【図４】
2010129522.tif 000006
【図５】
2010129522.tif 000007
【図６】
2010129522.tif 000008